(57)【要約】【課題】適正な作業位置を選定でき安全かつ効率良い作業を可能とする柱上作業台を提供すること。【解決手段】柱上作業台１は、電柱５に着脱自在に固定される電柱取付金具１０と、電柱取付金具１０に基端が固定される板状の踏み台２０と、一端が踏み台２０の下面の先端２２側に回動自在に取り付けられ、他端が電柱取付金具１０より下方で電柱５に当接して踏み台２０を支持する支持部材３０と、を備え、支持部材３０は、基端側が踏み台２０に取り付けられる長尺状の第１部材３１０と、第１部材３１０の先端側に該第１部材３１０に摺動可能に連結される長尺状の第２部材３２０と、第１部材３１０と第２部材３２０とを複数の連結位置で固定可能な差込部材３３０と、を備えた。【選択図】図１
2010216152.tif 000002
【特許請求の範囲】
【請求項１】
電柱に着脱自在に固定される電柱取付金具と、
前記電柱取付金具に基端が固定される板状の踏み台と、
一端が前記踏み台の下面の先端側に回動自在に取り付けられ、他端が前記電柱取付金具より下方で前記電柱に当接して前記踏み台を支持する支持部材と、を備える柱上作業台であって、
前記支持部材は、
基端側が前記踏み台に取り付けられる長尺状の第１部材と、
該第１部材の先端側に該第１部材に摺動可能に連結される長尺状の第２部材と、
前記第１部材と前記第２部材とを複数の連結位置で固定可能な固定部材と、を備える柱上作業台。
【請求項２】
前記第１部材には、長手方向に沿って所定間隔をあけて設けられた複数の第１貫通孔が形成され、
前記第２部材には、基端側における前記複数の第１貫通孔のうちのいずれかに重なり合う位置に第２貫通孔が形成され、
前記固定部材は、前記第１貫通孔と前記第２貫通孔とが重なり合った状態で該第１貫通孔及び該第２貫通孔に差込可能な差込部材である請求項１に記載の柱上作業台。
【請求項３】
前記支持部材は、前記複数の第１貫通孔のうちの最も前記第１部材の基端側に位置する第１貫通孔と前記第２貫通孔とが重なり合った状態における該支持部材の長さが、前記踏み台における前記支持部材の一端が取り付けられた位置から前記踏み台の基端までの長さよりも短くなる請求項２に記載の柱上作業台。
【請求項４】
電柱に着脱自在に固定される電柱取付金具と、
前記電柱取付金具に基端が固定される板状の踏み台と、
一端が前記踏み台の下面の先端側に取り付けられ、他端が前記電柱取付金具より下方で前記電柱に当接して前記踏み台を支持する支持部材と、を備える柱上作業台であって、
前記支持部材は、
踏み台の下面の先端側に取り付けられた取付部と、
前記取付部に基端側が係合し、先端側が前記電柱に当接する長尺状の支持部と、を有し、
前記取付部には、前記踏み台の先端側から基端側に沿って所定間隔をあけて設けられ、前記支持部の基端が係合する支持部係合孔が形成されている柱上作業台。
【発明の詳細な説明】
【技術分野】
【０００１】
本発明は、電柱に取り付けられる柱上作業台に関する。
【背景技術】
【０００２】
従来、電柱の上部に取り付けられた電力線等に対して作業を行うときには、電柱の側に高所作業車を固定し、電柱上部に取り付けられた電力線等まで作業車が乗ったバケットを寄せ、作業を行っていた。
【０００３】
ところが、作業を必要とする電力線等が取り付けられた電柱が設置された場所によっては、高所作業車が入れない所もある。このような場合であっても、電力線等に対して作業を行うための足場は必要である。
【０００４】
そこで、電柱等に着脱自在に取り付けて支持し、踏み台と、一端が踏み台に連結され他端が電柱に当接して、踏み台を略水平に保持する支持ステーを設けた柱上作業台が提案されている（特許文献１）。このような柱上作業台を用いることで、電力線等が取り付けられた電柱上部に足場を設けることができるので、高所作業車が入れない所に設置された電柱に取り付けられた電力線等に対しても作業を行うことが可能となる。
【先行技術文献】
【特許文献】
【０００５】
【特許文献１】特開平７−２０７９２５号公報
【発明の概要】
【発明が解決しようとする課題】
【０００６】
しかしながら、特許文献１の柱上作業台は、電柱等において、踏み台の取付位置が決まると、これに伴い支持ステーの他端が当接する位置も決まってしまう。
一般的に電柱には、電力線の他に、弱電ケーブル等が複数取り付けられていることがある。よって、特許文献１の柱上作業台は、無理の無い体勢で電力線に対して作業できる位置に踏み台を取り付けたくても、支持ステーが電柱に当接する位置に、弱電ケーブル等があると、取り付けられない。このような場合は、踏み台の取付位置及び支持ステーの当接する位置の双方に弱電ケーブル等が無い位置に、柱上作業台を取り付けるしかない。
これでは適正な作業位置を確保できないため、作業の安全性を損なう場合があった。
【０００７】
本発明は、上記に鑑みてなされたものであって、適正な作業位置を選定でき安全かつ効率良い作業を可能とする柱上作業台を提供することを目的とする。
【課題を解決するための手段】
【０００８】
上記目的を達成するため、本発明は、以下のような柱上作業台を提供する。
【０００９】
（１）  電柱に着脱自在に固定される電柱取付金具と、前記電柱取付金具に基端が固定される板状の踏み台と、一端が前記踏み台の下面の先端側に回動自在に取り付けられ、他端が前記電柱取付金具より下方で前記電柱に当接して前記踏み台を支持する支持部材と、を備える柱上作業台であって、前記支持部材は、基端側が前記踏み台に取り付けられる長尺状の第１部材と、該第１部材の先端側に該第１部材に摺動可能に連結される長尺状の第２部材と、前記第１部材と前記第２部材とを複数の連結位置で固定可能な固定部材と、を備える柱上作業台。
【００１０】
（１）の発明によれば、支持部材は、固定部材により、第１部材と前記第２部材とを複数の連結位置で固定できるので、支持部材の全長を変えて固定できる。
これにより、無理の無い体勢で電力線に対して作業できる位置に電柱取付金具を取り付け、この電柱取付金具に踏み台を固定する。次に、支持部材の他端を電柱に当接させる。このとき、この支持部材の他端を当接させる位置に、弱電ケーブル等があり、当接できない場合は、第１部材と第２部材との連結位置を変えて固定部材で固定する。すなわち、支持部材の全長を変える。すると、支持部材の他端が電柱に当接する位置が変わるので、上記弱電ケーブル等をかわし、支持部材の他端を電柱に当接して踏み台を支持できる。
よって、無理の無い体勢で電力線に対して作業できる位置に固定された踏み台の位置を変えることなく、支持部材の他端を電柱に当接して踏み台を支持できるので、適正な作業位置を選定でき安全かつ効率良い作業を可能とする柱上作業台を提供できる。
【００１１】
（２）  前記第１部材には、長手方向に沿って所定間隔をあけて設けられた複数の第１貫通孔が形成され、前記第２部材には、基端側における前記複数の第１貫通孔のうちのいずれかに重なり合う位置に第２貫通孔が形成され、前記固定部材は、前記第１貫通孔と前記第２貫通孔とが重なり合った状態で該第１貫通孔及び該第２貫通孔に差込可能な差込部材である（１）に記載の柱上作業台。
【００１２】
（２）の発明によれば、固定部材は、複数の第１貫通孔のいずれかと第２貫通孔とが重なり合った状態で該第１貫通孔及び該第２貫通孔に差込可能な差込部材であるので、第２貫通孔と重なり合う第１貫通孔を変えることで、支持部材の全長を変えことができ、さらに、これらが重なり合った状態で差込部材を差し込むことで、支持部材の全長を固定できる。
これにより、支持部材の他端を電柱に当接させるとき、この支持部材の他端を当接させる位置に、弱電ケーブル等があり、当接できない場合は、第２部材の第２貫通孔と重なり合う第１部材の第１貫通孔を変え、これらが重なり合った状態で差込部材を差し込むことで、支持部材の全長を固定できる。
よって、第２貫通孔と重なり合う第１貫通孔を変え、差込部材を差し込むだけで、支持部材の全長を変え固定できるので、踏み台の位置を変えることなく、簡易に支持部材の全長を調節し、踏み台を支持できる。その結果、容易に適正な作業位置を選定でき、安全かつ効率良い作業が可能となる。
【００１３】
（３）  前記支持部材は、前記複数の第１貫通孔のうちの最も前記第１部材の基端側に位置する第１貫通孔と前記第２貫通孔とが重なり合った状態における該支持部材の長さが、前記踏み台における前記支持部材の一端が取り付けられた位置から前記踏み台の基端までの長さよりも短くなる（２）に記載の柱上作業台。
【００１４】
（３）の発明によれば、第１部材の基端側に位置する第１貫通孔と前記第２貫通孔とが重なり合った状態における該支持部材の長さを、踏み台における支持部材の一端が取り付けられた位置から踏み台の基端までの長さよりも短くした。
これにより、支持部材の全長を最も短くし、この支持部材を踏み台と略平行にした場合に、踏み台の基端から支持部材の先端が突出しない。
よって、容易に適正な作業位置を選定でき安全かつ効率良い作業を可能とするとともに、収納時にはコンパクトにできる柱上作業台を提供できる。
【００１５】
（４）  電柱に着脱自在に固定される電柱取付金具と、前記電柱取付金具に基端が固定される板状の踏み台と、一端が前記踏み台の下面の先端側に取り付けられ、他端が前記電柱取付金具より下方で前記電柱に当接して前記踏み台を支持する支持部材と、を備える柱上作業台であって、前記支持部材は、踏み台の下面の先端側に取り付けられた取付部と、前記取付部に基端側が係合し、先端側が前記電柱に当接する長尺状の支持部と、を有し、前記取付部には、前記踏み台の先端側から基端側に沿って所定間隔をあけて設けられ、前記支持部の基端が係合する支持部係合孔が形成されている柱上作業台。
【００１６】
（４）の発明によれば、踏み台を支持する支持部材の取付部に、踏み台の先端側から基端側に沿って所定間隔をあけて設けられ、先端側が前記電柱に当接する長尺状の支持部の基端が係合する支持部係合孔を形成した。
これにより、無理の無い体勢で電力線に対して作業できる位置に電柱取付金具を取り付け、この電柱取付金具に踏み台を固定する。次に、支持部材の支持部の先端を電柱に当接させる。このとき、この支持部の先端を当接させる位置に、弱電ケーブル等があり、当接できない場合は、支持部の基端が係合する支持部係合孔を変える。すなわち、支持部の基端が係合する位置を踏み台の先端側から基端側に沿って変える。すると、支持部材の他端が電柱に当接する位置が変わるので、上記弱電ケーブル等をかわし、支持部材の他端を電柱に当接して踏み台を支持できる。
よって、無理の無い体勢で電力線に対して作業できる位置に固定された踏み台の位置を変えることなく、支持部材の他端を電柱に当接して踏み台を支持できるので、適正な作業位置を選定でき安全かつ効率良い作業を可能とする柱上作業台を提供できる。
【発明の効果】
【００１７】
本発明によれば、適正な作業位置を選定でき安全かつ効率良い作業を可能とする柱上作業台を提供できる。
【図面の簡単な説明】
【００１８】
【図１】本発明の第１実施形態に係る柱上作業台の側面図である。
【図２】本発明の第１実施形態に係る第１部材、第２部材、差込部材の部分詳細図である。
【図３】（ａ）は、差込部材が差込可能の状態を示す説明図である。（ｂ）は、差込部材が抜差不可の状態を示す説明図である。
【図４】本発明の第１実施形態に係る柱上作業台の動作を示す説明図である。
【図５】本発明の第２実施形態に係る柱上作業台の側面図である。
【図６】本発明の第２実施形態に係る柱上作業台の底面図である。
【図７】本発明の第２実施形態に係る支持部係合孔の説明図である。
【発明を実施するための形態】
【００１９】
以下に、本発明の実施形態を図面に基づいて詳細に説明する。なお、以下の実施形態の説明にあたって、同一構成要件については同一符号を付し、その説明を省略もしくは簡略化する。
【００２０】
〔第１実施形態〕
＜柱上作業台１の全体構成＞
図１は、本発明の第１実施形態に係る柱上作業台の側面図である。
図１を参照して柱上作業台１の全体構成を説明する。
柱上作業台１は、電柱取付金具１０と、踏み台２０と、支持部材３０と、踏み台２０と支持部材３０とを連結するチェーン４０と、を備える。
【００２１】
電柱取付金具１０は、踏み台連結金具１１と、電柱固定部材１２と、を備える。
踏み台連結金具１１は、略半円状に形成され、その内側が電柱５に当接し、両端に着脱自在に連結された電柱固定部材１２（例えば、チェーン）とにより電柱５に固定される。
また、踏み台連結金具１１は、その外側で踏み台２０と連結される。
【００２２】
踏み台２０は、略板状に形成され、その基端２１が踏み台連結金具１１と連結され、その先端２２側の下面には、支持部材３０が回動自在に取り付けられる。また、踏み台２０の基端２１側の下面には、チェーン４０の一端が連結されている。
【００２３】
支持部材３０は、第１部材３１０と、第２部材３２０と、差込部材３３０と、踏み台取付部材３４０と、電柱当接部材３５０と、チェーンフック３６０と、を備える。
【００２４】
第１部材３１０は、長尺状に形成され、基端３１１が踏み台取付部材３４０に回動自在に連結されている。また、詳しくは後述するが、第１部材３１０には、第１貫通孔３１５ａ〜ｃが形成されている。
【００２５】
第２部材３２０は、長尺状に形成され、第１部材３１０の先端３１２側にこの第１部材３１０に摺動可能に連結されている。また、詳しくは後述するが、第２部材３２０には、第２貫通孔３２５が形成されている。
【００２６】
詳しくは後述するが、差込部材３３０は、第１部材３１０と第２部材３２０とを固定する固定部材である。
【００２７】
踏み台取付部材３４０は、踏み台２０の先端２２側の下面に、踏み台２０の短辺方向に所定間隔をあけ２箇所並んで設けられ、それぞれに第１部材３１０の基端３１１が回動自在に連結されている。すなわち、本実施形態では、第１部材３１０、第２部材３２０、及び差込部材３３０もそれぞれ２つ備える。
【００２８】
電柱当接部材３５０は、２つの第２部材３２０の基端３２１が回動自在に連結される。また、電柱当接部材３５０は、電柱に当接するローラを備える。
チェーンフック３６０は、第２部材３２０の基端３２１側に設けられ、チェーン４０の任意の部分に係止する。これにより、踏み台２０に対する支持部材３０の角度が規定される。
【００２９】
＜第１部材３１０、第２部材３２０、差込部材３３０の詳細な構成＞
図２は、本発明の第１実施形態に係る第１部材、第２部材、差込部材の部分詳細図である。
図２を参照して第１部材３１０、第２部材３２０、差込部材３３０の詳細な構成を説明する。
【００３０】
第１部材３１０及び第２部材３２０は、筒状体に形成され、第１部材３１０の先端３１２は、第２部材３２０の先端３２２から、その内部に挿入される。
【００３１】
第１部材３１０には、先端３１２側から基端側に向け、長手方向に沿って所定間隔をあけて設けられた３つの第１貫通孔３１５ａ〜ｃが形成されている。
【００３２】
第２部材３２０には、基端３２１側に、３つの第１貫通孔３１５ａ〜ｃのうちのいずれかに重なり合う位置に第２貫通孔３２５が形成されている。
【００３３】
支持部材３０は、３つの第１貫通孔３１５ａ〜ｃのうちの最も第１部材３１０の基端３１１側に位置する第１貫通孔３１５ａと第２貫通孔３２５とが重なり合った状態での長さが、踏み台２０における支持部材３０の先端３１２が取り付けられた位置から踏み台２０の基端２１までの長さよりも短くなるように構成されている。
【００３４】
差込部材３３０は、３つの第１貫通孔３１５ａ〜ｃのいずれかと第２貫通孔３２５とが重なり合った状態で当該第１貫通孔３１５ａ〜ｃのいずれか及び第２貫通孔３２５に差し込まれる。
【００３５】
図３は、本発明の第１実施形態に係る差込部材の説明図である。
図３（ａ）は、差込部材が差込可能の状態を示す説明図である。
図３（ｂ）は、差込部材が抜差不可の状態を示す説明図である。
図３（ａ）、（ｂ）を参照して差込部材３３０の構成を説明する。
【００３６】
差込部材３３０は、頭部３３１と、軸部３３２と、羽根部３３３と、を備える。
【００３７】
頭部３３１は、第１貫通孔３１５ａ〜ｃ及び第２貫通孔３２５の直径より大きい直径で形成された円板状に形成されている。
【００３８】
軸部３３２は、その基端が頭部３３１の略中心に接続され、第２部材３２０の外径より長く形成されている。
【００３９】
羽根部３３３は、板状体であって、その略中心で軸部３３２の先端に、軸部３３２の延びる方向に沿って回転自在に取り付けられている。羽根部３３３は、その全長が第２貫通孔３２５の直径より大きい長さで形成され、その幅が第１貫通孔３１５ａ〜ｃ及び第２貫通孔３２５の直径より小さい長さで形成されている。
【００４０】
すなわち、差込部材３３０は、第１貫通孔３１５ａ〜ｃ及び第２貫通孔３２５に差し込むときは、羽根部３３３を軸部３３２の延びる方向に沿うように長辺を配置して、頭部３３１が第２部材３２０に当接するまで差し込む。そして、差し込んだ後は、羽根部３３３を軸部３３２の延びる方向と直行する方向に長辺を配置することで、差込部材３３０は、第１貫通孔３１５ａ〜ｃ及び第２貫通孔３２５から抜けなくなる。また、差込部材３３０を第１貫通孔３１５ａ〜ｃ及び第２貫通孔３２５から抜くときは、羽根部３３３を軸部３３２の延びる方向に沿うように長辺を配置して抜くこととなる。
【００４１】
＜柱上作業台１の作用効果＞
図４は、本発明の第１実施形態に係る柱上作業台の動作を示す説明図である。
図４を参照して柱上作業台１の取付手順を説明する。
まず、無理の無い体勢で電力線に対して作業できる位置に電柱取付金具１０を取り付け、この電柱取付金具１０に踏み台２０を固定する。次に、支持部材３０の電柱当接部材３５０を電柱に当接させる。このとき、この電柱当接部材３５０を当接させる位置に、弱電ケーブル６があり、当接できない場合は、第２部材３２０の第２貫通孔３２５と重なり合う第１部材３１０の第１貫通孔（第１貫通孔３１５ａ〜ｃのいずれか）を他の第１貫通孔に変え、これらが重なり合った状態で、差込部材３３０を差し込むことで、支持部材３０の全長を固定し、電柱当接部材３５０が電柱に当接する位置に配置し、チェーンフック３６０にチェーン４０を係止し、踏み台２０に対する支持部材３０の角度が規定する。すなわち、支持部材３０の全長を変える。すると、電柱当接部材３５０が電柱に当接する位置が変わるので、上記弱電ケーブル等をかわし、支持部材の他端を電柱に当接して踏み台を支持できる。
よって、無理の無い体勢で電力線に対して作業できる位置に固定された踏み台の位置を変えることなく、支持部材の他端を電柱に当接して踏み台を支持できるので、適正な作業位置を選定でき安全かつ効率良い作業が可能となる。
【００４２】
〔第２実施形態〕
＜柱上作業台１Ａの構成＞
第２実施形態の柱上作業台１Ａは、第１実施形態の柱上作業台１が支持部材３０を備えるに対して、支持部材８０を備える。
図５は、本発明の第２実施形態に係る柱上作業台の側面図である。
図６は、本発明の第２実施形態に係る柱上作業台の底面図である。
図５，６を参照して柱上作業台１Ａの全体構成を説明する。
【００４３】
柱上作業台１Ａは、電柱取付金具１０と、踏み台２０と、支持部材８０と、チェーン４０と、を備える。
【００４４】
支持部材８０は、踏み台２０の下面の先端２２側に取り付けられた取付部８２０と、取付部８２０に基端８１１側が係合する長尺状の支持部８１０と、支持部８１０の先端８１２に回動自在に連結され、電柱５に当接する電柱当接部材８３０と、支持部８１０の先端８１２側に設けられ、チェーン４０の任意の部分に係止するチェーンフック８４０と、を備える。
【００４５】
支持部８１０は、その基端８１１側の取付部８２０近傍部分が、平面視略コの字形に形成されている。また、支持部８１０は、このコの字形に形成された２つの端部から、電柱当接部材８３０が設けられた先端８１２側に向けて狭まっていく形状に形成されている。さらに、支持部８１０は、取付部８２０近傍部分に把持部８１３を備える。
【００４６】
取付部８２０は、取付部本体８２１と、支持部係合部材８２２と、支持部スライド孔８２３と、支持部係合孔８２４ａ〜ｃと、固定ネジ８２７と、固定ネジ穴８２６ａ〜ｃと、を備える。
【００４７】
取付部本体８２１は、板状体に形成され、踏み台２０の下面の先端２２側に固定される。
支持部係合部材８２２は、取付部本体８２１に対して断面略Ｔ字状に接続された板状体であり、踏み台２０の長辺方向に沿って延びている。また、支持部係合部材８２２は、踏み台２０の短辺方向に所定間隔をあけ２箇所並んで設けられている。
【００４８】
支持部係合部材８２２には、支持部スライド孔８２３と、支持部係合孔８２４ａ〜ｃ、と、支持部収納孔８２９が形成されている。
【００４９】
支持部スライド孔８２３は、踏み台２０の長辺方向に沿って、支持部８１０の基端８１１がスライド可能な略長方形状に形成されている。
【００５０】
支持部係合孔８２４ａ〜ｃは、踏み台２０の長辺方向に沿って、所定間隔で３つ設けられ、支持部８１０の基端８１１が係合可能に形成されている。支持部係合孔８２４ａ〜ｃは、支持部スライド孔８２３と一体となって形成されている。詳しくは後述するが、支持部８１０の基端８１１は、支持部スライド孔８２３をスライドされ、支持部係合孔８２４ａ〜ｃのいずれかに、滑り込ませて係合される。
【００５１】
支持部収納孔８２９は、支持部係合部材８２２において、最も踏み台２０の先端２２側に形成され、支持部８１０の基端８１１が係合可能に形成されている。
【００５２】
支持部材８０は、支持部収納孔８２９に支持部８１０の基端８１１が係合した状態において、支持部８１０の先端８１２に連結された電柱当接部材８３０が、踏み台２０の基端２１より突出しない長さで形成されている。
【００５３】
固定ネジ穴８２６ａ〜ｃは、取付部本体８２１において、支持部係合部材８２２が延びる方向の略中心に形成され、固定ネジ８２７の先端側が螺合する。固定ネジ穴８２６ａ〜ｃは、２つの支持部係合部材８２２にそれぞれ形成された支持部係合孔８２４ａ〜ｃの略中心を結んだ仮想線上に形成されている。
【００５４】
固定ネジ８２７は、把持部から軸部が延出し、軸部の先端側が固定ネジ穴８２６ａ〜ｃのいずれかと螺合する。
【００５５】
図７は、本発明の第２実施形態に係る支持部係合孔の説明図である。
図７を参照して、支持部係合孔８２４ｃの詳細について説明する。なお、以下、支持部係合孔８２４ｃについて説明するが、支持部係合孔８２４ａ、ｂも同様の構成を有する。
支持部係合孔８２４ｃには、支持部係止部８２５ｃが、支持部８１０の基端８１１の外径形状に沿ったで形成されている。
支持部係合孔８２４ｃは、支持部係止部８２５ｃに支持部８１０が係止され、固定ネジ穴８２６ｃに固定ネジ８２７が螺合されると、支持部８１０が抜けない構成となっている。
【００５６】
＜柱上作業台１Ａの作用効果＞
図５を参照して柱上作業台１Ａの取付手順を説明する。
まず、無理の無い体勢で電力線に対して作業できる位置に電柱取付金具１０を取り付け、この電柱取付金具１０に踏み台２０を固定する。次に、支持部材８０の電柱当接部材８３０を電柱に当接させる。このとき、この電柱当接部材８３０を当接させる位置に、弱電ケーブル６があり、当接できない場合は、支持部８１０の基端８１１が係合する支持部係合孔８２４ａ〜ｃを変える。すなわち、支持部８１０の基端８１１が係合する位置を踏み台２０の先端２２側から基端２１側に沿って変える。すると、支持部材８０の電柱当接部材８３０が電柱に当接する位置が変わるので、上記弱電ケーブル６をかわし、支持部材８０の電柱当接部材８３０を電柱に当接して踏み台を支持できる。
よって、無理の無い体勢で電力線に対して作業できる位置に固定された踏み台の位置を変えることなく、支持部材の他端を電柱に当接して踏み台を支持できるので、適正な作業位置を選定でき安全かつ効率良い作業が可能となる。
【００５７】
本発明は上記実施形態に限定されるものではなく、本発明の目的を達成できる範囲での変形、改良等は本発明に含まれるものである。
【符号の説明】
【００５８】
１      柱上作業台
１０    電柱取付金具
１１    踏み台連結金具
１２    電柱固定部材
２０    踏み台
２１    踏み台の基端
２２    踏み台の先端
３０    支持部材
３１０  第１部材
３２０  第２部材
３３０  差込部材
【図１】
2010216152.tif 000003
【図２】
2010216152.tif 000004
【図３】
2010216152.tif 000005
【図４】
2010216152.tif 000006
【図５】
2010216152.tif 000007
【図６】
2010216152.tif 000008
【図７】
2010216152.tif 000009